(57)【要約】【課題】衣類への取り付けが容易で、且つ商品情報を視認しやすい表示ラベル及び衣類への表示ラベルの取付構造を提供すること。【解決手段】表示ラベル１０は、衣類のベルトループに取り付けられる本体部１１と、本体部１１が衣類に取り付けられた状態において、当該衣類の外縁よりも外側に突出するとともに当該衣類に関する商品情報を表示する表示部１２とを有し、本体部１１には、本体部１１の一部が切り込まれてなり、ベルトループに挿通される挿通片１３が設けられている。【選択図】図１
0003213419.tif 000002
【実用新案登録請求の範囲】
【請求項１】
ベルトループを有する衣類に取り付けられ、当該衣類に関する商品情報を表示するシート状の表示ラベルであって、
本体部と、
前記本体部が衣類に取り付けられた状態において、当該衣類の外縁よりも外側に突出するとともに当該衣類に関する商品情報を表示する表示部と、を有し、
前記本体部には、前記本体部の一部が切り込まれてなり、前記ベルトループに挿通される挿通片が設けられている、
表示ラベル。
【請求項２】
前記挿通片には、前記挿通片の先端側に向けて徐々に幅が小さくされたテーパ部が設けられている、
請求項１に記載の表示ラベル。
【請求項３】
前記挿通片には、前記テーパ部から前記挿通片の基端側に向けて延びるとともに前記テーパ部の最大幅と同一の幅を有する平行部が設けられている、
請求項２に記載の表示ラベル。
【請求項４】
ベルトループを有する衣類と、
請求項１〜請求項３のいずれか一項に記載の表示ラベルと、を備え、
前記ベルトループに前記挿通片が挿通されることで前記表示ラベルが前記衣類に取り付けられた状態において、前記表示部が当該衣類の外縁よりも外側に突出している、
衣類への表示ラベルの取付構造。
【考案の詳細な説明】
【技術分野】
【０００１】
本考案は、衣類に取り付けられ、当該衣類に関する商品情報を表示する表示ラベル及び衣類への表示ラベルの取付構造に関する。
【背景技術】
【０００２】
販売店において商品としての衣類を陳列する場合、衣類には、そのブランド名や商品名、サイズ等の当該衣類に関する商品情報を表示するシート状の表示ラベルが取り付けられている。
【０００３】
ズボンやスカートなどの衣類は、ハンガ等により吊るされた状態で陳列されることが多い。このような衣類の表示ラベルとしては、ベルトループに紐で吊り下げられるものが知られている。
【考案の概要】
【考案が解決しようとする課題】
【０００４】
しかしながら、従来の表示ラベルにおいては、衣類をハンガ等によって吊り下げた状態で複数着重ねて陳列した場合、衣類同士が重なることで表示ラベルが隣り合う衣類同士の間に隠れてしまい、表示ラベルを視認しにくいという問題点がある。
【０００５】
本考案の目的は、衣類への取り付けが容易で、且つ商品情報を視認しやすい表示ラベル及び衣類への表示ラベルの取付構造を提供することである。
【課題を解決するための手段】
【０００６】
上記目的を達成するための表示ラベルは、ベルトループを有する衣類に取り付けられ、当該衣類に関する商品情報を表示するシート状のものであって、本体部と、前記本体部が衣類に取り付けられた状態において、当該衣類の外縁よりも外側に突出するとともに当該衣類に関する商品情報を表示する表示部と、を有し、前記本体部には、前記本体部の一部が切り込まれてなり、前記ベルトループに挿通される挿通片が設けられている。
【０００７】
また、上記目的を達成するための衣類への表示ラベルの取付構造は、ベルトループを有する衣類と、前記表示ラベルと、を備え、前記ベルトループに前記挿通片が挿通されることで前記表示ラベルが前記衣類に取り付けられた状態において、前記表示部が当該衣類の外縁よりも外側に突出している。
【０００８】
上記各構成によれば、ベルトループに挿通片を差し込むことによって衣類に対して表示ラベルの本体部を容易に取り付けることができる。また、上記構成によれば、表示ラベルのうち、衣類の外縁よりも外側に突出する部分が表示部とされるため、当該衣類がハンガ等によって吊り下げられた状態で複数着重ねて陳列されている場合においても、表示部を容易に視認することができる。
【考案の効果】
【０００９】
本考案によれば、衣類への取り付けが容易で、且つ商品情報を視認しやすい表示ラベルを提供することができる。
【図面の簡単な説明】
【００１０】
【図１】表示ラベルの一実施形態について、（ａ）は表示ラベルの表面を示す正面図、（ｂ）は表示ラベルの裏面を示す正面図。
【図２】同実施形態の表示ラベルが表面を表側に向けてズボンに取り付けられた状態の正面図。
【図３】同実施形態の表示ラベルが裏面を表側に向けてズボンに取り付けられた状態の正面図。
【考案を実施するための形態】
【００１１】
以下、図１〜図３を参照して、表示ラベルの一実施形態について説明する。
本実施形態の表示ラベルは、ベルトループを有するズボンに取り付けられるものである。
【００１２】
まず、表示ラベルの表面について説明する。
図１（ａ）に示すように、表示ラベル１０は、長方形シート状をなしている。本実施形態の表示ラベル１０は、一枚の厚紙からなる。
【００１３】
表示ラベル１０は、上記長方形の一方（同図の右方）の長辺の一部及び一方（同図の下方）の短辺の一部を含む長方形状の領域である本体部１１を有している。また、それ以外の領域、すなわち、本体部１１の他方（同図の左方）の長辺及び他方（同図の上方）の短辺（いずれも同図に二点鎖線にて示す）に隣り合うＬ字状の領域である表示部１２を有している。
【００１４】
以降において、表示ラベル１０の長辺に沿う方向を長手方向とし、短辺に沿う方向を短手方向として説明する。また、同図に二点鎖線にて示すように、本体部１１と表示部１２との境界線のうち、短手方向に平行な線を第１境界線Ｌ１とし、長手方向に平行な線を第２境界線Ｌ２として説明する。
【００１５】
本体部１１における第１境界線Ｌ１と第２境界線Ｌ２との交わるコーナ部には、本体部１１の一部が切り込まれてなり、ベルトループ１６に挿通される挿通片１３が設けられている。挿通片１３は、第２境界線Ｌ２上において本体部１１と連結されるとともに短手方向に沿って延びている。
【００１６】
挿通片１３は、幅Ｗ（同図の上下の長さ）が一定とされた平行部１３ａと、平行部１３ａの先端側に連なるとともに挿通片１３の先端側に向けて徐々に幅Ｗが小さくされたテーパ部１３ｂとを有している。
【００１７】
すなわち、平行部１３ａは、テーパ部１３ｂから挿通片１３の基端側に向けて延びるとともにテーパ部１３ｂの最大幅と同一の幅を有している。なお、挿通片１３の先端側における一対の角部１３ｃは、円弧状に面取りされている。
【００１８】
表示部１２は、例えば表示ラベル１０が取り付けられる衣類の商品名やサイズ等の商品情報を表示する部分である。表示部１２には、当該商品情報を表示する文字や数字等が印刷されている。
【００１９】
次に、表示ラベル１０の裏面について説明する。
以降において、表示ラベル１０の裏面の構成のうち表面の構成と同一のものについては同一の符号を付すとともに、表面の構成と対応するものについては、表面の構成の符号「１＊」に対して「１０」を加算した符号「２＊」を付すことにより、重複する説明を省略する。
【００２０】
図１（ｂ）に示すように、本体部２１及び表示部２２の配置については、表面と同様である。
本体部２１は、表示ラベル１０の長方形の一方（同図の右方）の長辺の一部及び一方（同図の下方）の短辺の一部を含む長方形状の領域である。また、表示部２２は、表示ラベル１０のうち、本体部２１以外の領域、すなわち、本体部２１の他方（同図の左方）の長辺及び他方（同図の上方）の短辺（いずれも同図に二点鎖線にて示す）に隣り合うＬ字状の領域である。
【００２１】
同図に二点鎖線にて示すように、本体部２１と表示部２２との境界線のうち、短手方向に平行な線を第３境界線Ｌ３とし、長手方向に平行な線を第４境界線Ｌ４として説明する。
【００２２】
挿通片１３は、本体部２１における第３境界線Ｌ３と第４境界線Ｌ４との交わるコーナ部に設けられている。
ただし、表示ラベル１０の裏面においては、挿通片１３は、表示ラベル１０における本体部２１側（同図の右側）の長辺と、第４境界線Ｌ４との間の部分において本体部２１と連結されるとともに短手方向に沿って第４境界線Ｌ４に向けて延びている。また、挿通片１３の先端が第４境界線Ｌ４上に位置している。
【００２３】
次に、図２を参照して、表示ラベル１０が表面を表側に向けてズボン１５に取り付けられた構造の一例について説明する。
図２に示すように、前開き部分が内側に隠れるようにして左右の股下部分同士が重ね合わされているズボン１５に対し、最も前側（同図の左側）に位置するベルトループ１６に対して前側から表示ラベル１０の挿通片１３が挿通されている。また、本体部１１のうち挿通片１３よりも挿通片１３の先端側の部分が縫糸１８によりズボン１５に対して留められている。
【００２４】
このようにして表示ラベル１０の本体部１１がズボン１５に取り付けられた状態において、表示部１２は、ズボン１５の幅方向の外縁（同図の左側縁）よりも外側に突出するとともに上下方向の外縁（同図の上側縁）よりも上側（外側）に突出している。
【００２５】
ズボン１５は、表示ラベル１０が取り付けられ、且つハンガ１７により吊り下げられた状態にて販売店において陳列される。
次に、図３を参照して、表示ラベル１０が裏面を表側に向けてズボン２５に取り付けられた構造の一例について説明する。
【００２６】
図３に示すように、左右の股下部分が互いに離間されているズボン２５に対し、後ろ側のベルトループのうち幅方向の最も外側（同図の左側）に位置するベルトループ２６に対して内側から表示ラベル１０の挿通片１３が挿通されている。また、本体部２１のうち挿通片１３よりも挿通片１３の基端側の部分が縫糸２８によりズボン２５に対して留められている。
【００２７】
このようにして表示ラベル１０の本体部２１がズボン２５に取り付けられた状態において、表示部２２は、ズボン２５の幅方向の外縁（同図の左側縁）よりも外側に突出するとともに上下方向の外縁（同図の上側縁）よりも上側（外側）に突出している。
【００２８】
以上説明した本実施形態に係る表示ラベル及び衣類への表示ラベルの取付構造によれば、以下に示す作用効果が得られるようになる。
（１）表示ラベル１０は、本体部１１，２１と、本体部１１，２１がズボン１５，２５に取り付けられた状態において、当該ズボン１５，２５の外縁よりも外側に突出するとともに当該ズボン１５，２５に関する商品情報を表示する表示部１２，２２とを有している。本体部１１，２１には、本体部１１，２１の一部が切り込まれてなり、ベルトループ１６，２６に挿通される挿通片１３が設けられている。
【００２９】
こうした構成によれば、ベルトループ１６，２６に挿通片１３を差し込むことによってズボン１５，２５に対して表示ラベル１０の本体部１１，２１を容易に取り付けることができる。
【００３０】
また、上記構成によれば、表示ラベル１０のうち、ズボン１５，２５の幅方向の外縁及び上側の外縁よりも外側に突出する部分が表示部１２，２２とされるため、当該ズボン１５，２５がハンガ１７によって吊り下げられた状態で複数着重ねて陳列されている場合においても、表示部１２，２２を容易に視認することができる。
【００３１】
したがって、ズボン１５，２５への取り付けが容易で、且つ商品情報を視認しやすい表示ラベル１０を提供することができる。
（２）挿通片１３には、挿通片１３の先端側に向けて徐々に幅が小さくされたテーパ部１３ｂが設けられている。
【００３２】
こうした構成によれば、挿通片１３の幅がその先端側、すなわち差し込み方向前側に向けて徐々に小さくされたテーパ部１３ｂが設けられているため、挿通片１３をベルトループ１６，２６に挿通しやすくなる。
【００３３】
（３）挿通片１３には、テーパ部１３ｂから挿通片１３の基端側に向けて延びるとともにテーパ部１３ｂの最大幅と同一の幅を有する平行部１３ａが設けられている。
こうした構成によれば、ベルトループ１６，２６の互いに平行な内側縁に対して挿通片１３の平行部１３ａが係合されることで、ズボン１５，２５に対して表示ラベル１０が適切な姿勢となる。このため、ズボン１５，２５に対して表示ラベル１０を適切な姿勢にて取り付けることができる。
【００３４】
（４）ズボン１５，２５への表示ラベル１０の取付構造は、ベルトループ１６，２６を有するズボン１５，２５と、表示ラベル１０とを備えている。ベルトループ１６，２６に挿通片１３が挿通されることで表示ラベル１０がズボン１５，２５に取り付けられた状態において、表示部１２，２２が当該ズボン１５，２５の外縁よりも外側に突出している。
【００３５】
こうした構成によれば、上記作用効果（１）を奏することができる。
（５）表示ラベル１０の両面に表示部１２，２２が設けられている。
こうした構成によれば、表示部１２，２２が表面と裏面にそれぞれ設けられているため、表裏のどちらも使用することができる。
【００３６】
＜変形例＞
なお、上記実施形態は、例えば以下のように変更することもできる。
・ズボン１５，２５に対する縫糸１８，２８の位置を適宜変更してもよい。
【００３７】
・表示部１２，２２は表示ラベル１０を衣類に取り付けた際に、衣類の外縁から上方に突出する部分または幅方向に突出する部分のいずれか一方に設けることとしてもよい。
・テーパ部１３ｂを省略し、挿通片１３を平行部１３ａのみによって構成することもできる。
【００３８】
・平行部１３ａを省略し、挿通片１３をテーパ部１３ｂのみによって構成することもできる。
・本考案に係る表示ラベルを、ベルトループを有するスカート等のズボン以外の衣類に対して取り付けることもできる。
【００３９】
・上記実施形態では、表示ラベル１０の両面に表示部１２，２２を設けるようにしているが、裏面の表示部２２を省略することもできる。
【００４０】
・厚紙に代えて、樹脂シートによって表示ラベルを構成することもできる。
【符号の説明】
【００４１】
１０…表示ラベル、１１，２１…本体部、１２，２２…表示部、１３…挿通片、１３ａ…平行部、１３ｂ…テーパ部、１３ｃ…角部、１５，２５…ズボン、１６，２６…ベルトループ、１７…ハンガ、１８，２８…縫糸。
【図１】
0003213419.tif 000003
【図２】
0003213419.tif 000004
【図３】
0003213419.tif 000005